(57)【要約】      （修正有）【課題】灯具の部品が組合せ可能な線形灯具を提供する。【解決手段】組合せ可能な線形灯具は、灯フレーム１０、熱伝導性隔板２０、ＬＥＤプレート３０、笠４０、及び、二つの端カバー５０を含む。灯フレーム１０は、一面が開放され、両側壁１２の内側壁面にそれぞれ係合凸部１３が設置される。熱伝導性隔板２０は、二つの係合凸部１３に取り外し可能に固定され、ＬＥＤプレート３０が設置される灯槽が形成される。笠４０は、長尺状の透明板材で、取り外し可能に灯フレーム１０の開放された一面を覆うように設置される。二つの端カバー５０は灯フレーム１０の開口１１を封止する。熱伝導性隔板２０が取り外し可能なため、ＬＥＤプレート３０又は電源モジュールが壊れたとき、笠４０を開く、或いは熱伝導性隔板２０を取り外すことができ、直接ＬＥＤプレート３０又は電源モジュールを取り出し可能で修理が行える。【選択図】図１
0003212422.tif 000002
【実用新案登録請求の範囲】
【請求項１】
灯フレームと、熱伝導性隔板と、電源モジュールと、ＬＥＤプレートと、笠と、二つの端カバーとを含む組合せ可能な線形灯具であり、
前記灯フレームは、両端にそれぞれ開口があり断面が矩形である長尺状の管部材であり、一面が開放され、他の三面により囲まれた空間が形成され、両側壁の内側壁面に係合凸部が突出して設けられ、前記各係合凸部が側壁方向に沿って凹入した係合溝が設置され、
前記熱伝導性隔板は、底板を含み、前記底板は長尺状の板材であり、両側に折れている二つの折れ壁が設置され、前記二つの折れ壁及び前記底板により囲まれ灯槽を形成し、前記二つの折れ壁の外側壁縁に突出部が設置され、前記突出部が前記係合溝に係合することにより、前記熱伝導性隔板が前記二つの係合凸部に取り外し可能に固定されるとともに、前記灯フレームの底壁と前記熱伝導性隔板との間に電源収容室が形成され、
前記電源モジュールは、前記電源収容室に設置され、
前記ＬＥＤプレートは、前記熱伝導性隔板の前記灯槽に設置され、
前記笠は、長尺状の透明板材であり、取り外し可能なように前記灯フレームに覆い被さり設置され、
前記二つの端カバーは、前記灯フレームの前記開口を封止する、ことを特徴とする組合せ可能な線形灯具。
【請求項２】
前記熱伝導性隔板に電源連通口が設置され、
前記ＬＥＤプレートが前記電源連通口を通り抜け、前記電源モジュールと電気的に接続している、ことを特徴とする請求項１に記載の組合せ可能な線形灯具。
【請求項３】
前記ＬＥＤプレートが、前記熱伝導性隔板の前記底板に貼り付け設置される、ことを特徴とする請求項１に記載の組合せ可能な線形灯具。
【請求項４】
前記係合溝が弧状である、ことを特徴とする請求項１に記載の組合せ可能な線形灯具。
【請求項５】
前記灯フレームは、前記底壁に長手方向の中心線に沿い、直槽が凹入し設置され、
前記直槽の前記開口の近傍に、複数のロック孔が設置される、ことを特徴とする請求項１に記載の組合せ可能な線形灯具。
【請求項６】
前記灯フレームは、前記開口の壁縁に複数の固定孔が設置され、
前記端カバーが複数の固定部材により前記灯フレームの前記固定孔に固定される、ことを特徴とする請求項１に記載の組合せ可能な線形灯具。
【考案の詳細な説明】
【技術分野】
【０００１】
本考案は、照明用線形灯具に関する。
【背景技術】
【０００２】
外形が長尺状、且つ、断面が矩形である線形灯具は、よく室内空間で用いられる。線形灯具は、吊下型や放置型などの灯具として使用されるだけではなく、埋め込み方式で設置されることに適しており、展示用平面のあらかじめ掘られた長槽に埋め込まれ、照射面と展示用平面とが同一になるようにして使用されることもある。このような使用法によると、シームレスで展示用平面に照明用光源があるという雰囲気が形成されるだけでなく、室内空間の利用効率もあがり、質感も向上する。
【考案の概要】
【考案が解決しようとする課題】
【０００３】
しかしながら、この線形灯具は、長さが一定であり、広い空間に配置され複数の線形灯具を直列に組合せて用いる必要がある際には、線形灯具同士をシームレスで正確に組合せることが困難である。そのため、室内空間に照明光源を配置すると、使用者は、それらが別々に区切られた灯具であることに容易に気づく。従って、組み合わせ技術が低いという視覚的錯覚を与えてしまい、室内空間の設計品質の向上が妨害される。
【０００４】
また、上記の線形灯具が平面以下に埋め込まれ使用される場合、灯具の部品が壊れると、使用者はケースや笠などを取り外しその部品を取り出した後、内部の壊れた部品を取り替えなければならない。このように、上記従来の線形灯具は実用的な設計がなされていない。
【０００５】
本考案は、上記課題に鑑みてなされたものであり、その目的は、組合せ可能な線形灯具を提供することにある。
【課題を解決するための手段】
【０００６】
本考案の一態様によれば、灯フレームと、熱伝導性隔板と、電源モジュールと、ＬＥＤプレートと、笠と、二つの端カバーとを含む組合せ可能な線形灯具を提供する。灯フレームは、両端にそれぞれ開口があり断面が矩形である長尺状の管部材とし、一面が開放され、他の三面により囲まれた空間が形成され、両側壁の内側壁面にそれぞれ係合凸部が突出して設けられ、各係合凸部が側壁方向に沿って凹入した係合溝が設置され、熱伝導性隔板は底板を含み、底板は長尺状の板材であり、両側に折れている二つの折れ壁が設置され、二つの折れ壁及び底板により囲まれ灯槽を形成し、二つの折れ壁の外側壁縁に突出部が設置され、突出部が係合溝に係合することにより、熱伝導性隔板が二つの係合凸部に取り外し可能に固定されるとともに、灯フレームの底壁と熱伝導性隔板との間に電源収容室が形成され、電源モジュールは、電源収容室に設置され、ＬＥＤプレートは、熱伝導性隔板の灯槽に設置され、笠は、長尺状の透明板材であり、取り外し可能なように灯フレームに覆い被さり設置され、二つの端カバーは灯フレームの開口を封止する、ことを特徴とする。
【０００７】
好ましくは、熱伝導性隔板に電源連通口が設置され、ＬＥＤプレートが電源連通口を通り抜け電源モジュールと電気的に接続している、ことを特徴とする。
【０００８】
好ましくは、ＬＥＤプレートが、熱伝導性隔板の底板に貼り付け設置される、ことを特徴とする。
【０００９】
好ましくは、係合溝が弧状である、ことを特徴とする。
【００１０】
好ましくは、灯フレームは、底壁に長手方向の中心線に沿い、直槽が凹入し設置され、直槽の、開口に近接しているところに、複数のロック孔が設置される、ことを特徴とする。
【００１１】
好ましくは、灯フレームは、開口の壁縁に複数の固定孔が設置され、端カバーが複数の固定部材により、灯フレームの固定孔に固定される、ことを特徴とする。
【００１２】
本考案の組合せ可能な線形灯具は、外観から見ると、シームレスな組合せであり、シームレスの灯具の組合せの優れた効果を奏することができる。二つの組合せ可能な線形灯具を組み合わせた後、両灯具の間に顕著な間隔があることに使用者が気づきにくく、シームレスの灯具であるようなイメージを使用者に想起させ、室内イメージの設計品質が増進する。
【００１３】
なお、熱伝導性隔板が灯フレームに取り外し可能に固定される設計により、ＬＥＤプレートと電源モジュールとを分離させる。よって、たとえ組合せ可能な線形灯具が平面に嵌め込まれても、壊れたＬＥＤプレートを修理する必要がある際には、使用者が笠を開くだけで、容易にＬＥＤプレートの修理を行える。電源モジュールを修理しようとすると、使用者がさらに熱伝導性隔板を取り外し、直接に電源モジュールの修理を行える。これらは、従来の技術ではできなかった。
【図面の簡単な説明】
【００１４】
【図１】本考案の一実施形態に係る組合せ可能な線形灯具の分解斜視図である。
【図２】本考案の一実施形態に係る組合せ可能な線形灯具の斜視図である。
【図３】本考案の一実施形態に係る組合せ可能な線形灯具の局部断面図である。
【図４】本考案の一実施形態に係る組合せ可能な線形灯具のシームレスな組合せを示す斜視図である。
【図５】本考案の別の実施形態に係る組合せ可能な線形灯具のシームレスな組合せを示す斜視図である。
【図６】本考案の別の実施形態に係る組合せ可能な線形灯具のシームレスな組合せを示す斜視図である。
【図７】本考案の別の実施形態に係る組合せ可能な線形灯具のシームレスな組合せを示す斜視図である。
【考案を実施するための形態】
【００１５】
以下、本考案に係る複数の実施形態について、図面を参照しながら具体的に説明する。
【００１６】
（一実施形態）
図１に、本考案の一実施形態に係る組合せ可能な線形灯具の分解斜視図を示す。図２に、組合せ可能な線形灯具の斜視図を示す。組合せ可能な線形灯具１は、灯フレーム１０と、熱伝導性隔板２０と、電源モジュールと（図に示せず）、発光ダイオード（以下、ＬＥＤ）プレート３０と、笠４０と、二つの端カバー５０とを備えてなる。
【００１７】
灯フレーム１０は、断面が矩形となり且つ両端にそれぞれ開口１１がある長尺状の管部材とし、正面が開放されており、他の三面により囲まれた空間を形成している。これより、灯フレーム１０は、中空構造を有する。
【００１８】
図３に、組合せ可能な線形灯具の局部断面図を示す。灯フレーム１０は、両側壁１２の内側壁面にそれぞれ係合凸部１３が突出し設置される。各係合凸部１３が側壁１２の方向に沿い凹入することにより、各係合凸部１３に少なくとも一つの係合溝１３１が設置される。係合溝１３１が弧状を呈した槽体であってもよい。なお、灯フレーム１０は、其の底壁１４に長手方向の中心線に沿い、直槽１４１が凹入し設置される。直槽１４１の、開口１１に近接しているところに、複数のロック孔１４１１が設置される。また、灯フレーム１０は、開口１１の壁縁に複数の固定孔１５が設置される。
【００１９】
熱伝導性隔板は高熱伝導性材質により形成されるものであり、底板２１を含んでなる。底板２１は長尺状の板材であり、両側に折れている二つの折れ壁２２が設置され、且つ二つの折れ壁２２及び底板２１により囲まれ灯槽を形成する。二つの折れ壁２２の外側壁縁に突出部２２１が設置される。突出部２２１が灯フレーム１０の係合凸部１３の係合溝１３１に対応し係合することにより、熱伝導性隔板２０が二つの係合凸部１３に取り外し可能に固定されるとともに、灯フレーム１０の底壁１４と熱伝導性隔板２０との間に電源収容室を形成する。なお、熱伝導性隔板２０には、電源連通口２３が設置される。
【００２０】
電源モジュールは、電源収容室に設置される。
【００２１】
ＬＥＤプレート３０は、熱伝導性隔板２０の灯槽に対応し設置され、且つ底板２１に貼り付け設置され、その発光面が灯フレーム１０の正面の空間に対向している。ＬＥＤプレート３０は、電源連通口２３を通り抜け、電源モジュールと電気的に接続している。
【００２２】
笠４０は、長尺状の透明板材であり、取り外し可能に且つ対応的に、灯フレーム１０の正面の空間を覆うように設置され、さらに空間を封止する。
【００２３】
二つの端カバー５０は、灯フレーム１０の開口１１を封止し、且つ複数の固定部材９０により灯フレーム１０の固定孔１５に固定されてもよい。
【００２４】
図４は、一実施形態に係る組合せ可能な線形灯具のシームレスな組合せを示す斜視図である。二つの灯フレーム１０を一端で互いに組み合わせる際に、笠４０を用い、二つの灯フレーム１０が互いに接合したジョイントを対応し締め付け、二つの灯フレーム１０の正面の中空構造の局部を覆い被さる。覆い被さらない一部を、二つの短笠８０を用い覆い被さる。すると、二つの灯フレーム１０が互いに正確に組み合わせるので、外観から、互いに分離した二つの灯具であることが、使用者に裸眼で見えない。
【００２５】
（別の実施形態）
図５は、本考案の別の実施形態に係る組合せ可能な線形灯具のシームレスな組合せを示す斜視図である。図６は、別の実施形態に係る組合せ可能な線形灯具のシームレスな組合せを示す斜視図である。図７は、別の実施形態に係る組合せ可能な線形灯具のシームレスな組合せ示す斜視図である。図５ないし図７を参照し、二つの灯フレーム１０を一端で互いに組み合わせる際に、組合せ部材７０を用い、ジョイントを締め付ける。
【００２６】
組合せ部材７０は、直槽１４１を対応し通り抜ける通り板７１と、電源収容室に通り抜け設置される組合せフレーム７２とを備えてなる。通り板７１には、ロック孔１４１１に対応する複数の通り板のロック孔７１１が設置され、さらに複数のロック部材７３により、通り板７１がロック孔１４１１を通り抜け組合せフレーム７２にロックし固定させる。組合せフレーム７２の側壁面には、ロック孔１４１１の外形に対応する対応溝７２１（図５を参照）がさらに設置され、組合せフレーム７２が対応的に底壁１４に貼り付けられるようにする。
【００２７】
組合せ部材７０は、二つの組合せ可能な線形灯具のジョイント部に覆い被さり、二つの組合せ可能な線形灯具１を互いに正確に組み合わせるので、互いに分離した二つの灯具であることが、使用者に裸眼で見えない。
【００２８】
本考案の組合せ可能な線形灯具は、外観から見ると、シームレスな組合せであり、シームレスな灯具の優れた効果を奏することができる。二つの組合せ可能な線形灯具１を組み合わせた後、両灯具の間に顕著な間隔があることに使用者が気づきにくく、シームレスの灯具であるようなイメージを使用者に想起させ、室内イメージの設計品質が増進する。
【００２９】
なお、熱伝導性隔板２０が灯フレーム１０に取り外し可能に固定される設計により、ＬＥＤプレート３０と電源モジュールとを分離させる。よって、たとえ組合せ可能な線形灯具１が平面に対応し嵌め込まれても、壊れたＬＥＤプレート３０を修理する必要がある際に、使用者が笠４０を開くだけで、容易にＬＥＤプレート３０の修理を行える。電源モジュールを修理しようとすると、使用者がさらに熱伝導性隔板２０を取り外し、直接に電源モジュールの修理を行える。これらは、従来技術ではできなかった。
【符号の説明】
【００３０】
１                        組合せ可能な線形灯具
１０                      灯フレーム
１１                      開口
１２                      側壁
１３                      係合凸部
１３１                    係合溝
１４                      底壁
１４１                    直槽
１４１１                  ロック孔
１５                      固定孔
２０                      熱伝導性隔板
２１                      底板
２２                      折れ壁
２２１                    突出部
２３                      電源連通口
３０                      ＬＥＤプレート
４０                      笠
５０                      端カバー
７０                      組合せ部材
７１                      通り板
７１１                    通り板のロック孔
７２                      組合せフレーム
７２１                    対応溝
７３                      ロック部材
８０                      短笠
９０                      固定部材
【図１】
0003212422.tif 000003
【図２】
0003212422.tif 000004
【図３】
0003212422.tif 000005
【図４】
0003212422.tif 000006
【図５】
0003212422.tif 000007
【図６】
0003212422.tif 000008
【図７】
0003212422.tif 000009